(57)【要約】【課題】葬儀の参列者の視点に立ち、葬儀を意義あらしめ得るようにした生前メッセージ管理・開示システムを提案する。【解決手段】委託者３が委託した自己の肉声、又は自己の肉声と画像による生前メッセージは、受託者１においてデータベース２に保管される一方、上記受託者１が上記委託者３の死去情報を得たときには、上記データベース２から読み出され、インターネットを介して特定の葬儀社５に送信され、この特定の葬儀社５により上記委託者３の葬儀において遺族及び参列者に開示される。この結果、遺族及び参列者は、故人たる委託者３から、該委託者３の肉声による、又は肉声と画像による、死去を念頭においた生前メッセージを、恰もここに故人が存在するかの如き感覚で見聞きすることになり、委託者３のお礼と感謝の思いが遺族及び参列者に伝えられ、且つその心中に深く刻み込まれ、上記委託者３の葬儀がより意義深いものとなる。【選択図】図１
2009032220.tif 000002
【特許請求の範囲】
【請求項１】
委託者（３）は将来における自己の死去を念頭に、その葬儀に際して遺族及び参列者に伝えたいメッセージを自己の肉声で、又は自己の肉声と画像で記録し、これを生前メッセージとして情報伝達手段を介して受託者（１）に寄託し、
上記受託者（１）は寄託された上記生前メッセージを記録情報としてデータベース（２）に保管し、
上記受託者（１）は上記委託者（３）の死去情報を得たとき、該委託者（３）の生前メッセージを上記データベース（２）から読み出しインターネットを介して特定の葬儀社（５）に送信し、
上記特定の葬儀社（５）は上記受託者（１）から送信された生前メッセージを上記委託者（３）の葬儀において遺族及び参列者に開示することを特徴とする生前メッセージ管理・開示システム。
【請求項２】
請求項１において、
上記受託者（１）は、上記委託者（３）から既に寄託された生前メッセージの更改又は削除の要請を受けたときには、上記データベース（２）に保管された生前メッセージを更改又は削除することを特徴とする生前メッセージ管理・開示システム。
【請求項３】
請求項１において、
上記委託者（３）は、生前に、死後において自己の意思を代弁する代弁者（４）を定めてこれを上記委託者（３）に通知し、上記代弁者（４）は上記委託者（３）の死去時に上記死去情報、及び上記生前メッセージの開示の可否情報を上記受託者（１）に送信することを特徴とする生前メッセージ管理・開示システム。
【発明の詳細な説明】
【技術分野】
【０００１】  本願発明は、死去時における葬儀を念頭において生前に予め収録した故人の生前メッセージを受託管理し、当該故人の葬儀に際してこれを開示するための生前メッセージ管理・開示システムに関するものである。
【背景技術】
【０００２】  葬儀は故人の最後の儀式であり、故人の遺徳を偲ぶとともに、故人が生前に世話になった方々に感謝をし、さらに故人の死を通じて遺族の気持ちを新たにする、等の重要な意義をもつものであり、厳粛な中で整然と営まれることが要求される。【０００３】  ところで、近年は、生活環境あるいは住環境の変化から、従来は故人の自宅において遺族の手で営まれることの多かった葬儀を、葬儀社の主導の下で営まれることが多くなった。そして、このような葬儀社の主導の下での葬儀においては、今日の情報化社会の目覚しい進展等を背景として、故人の遺徳を偲び、生前に世話になった方々への感謝を表す、等の観点から、様々な趣向が凝らされている。【０００４】  例えば、特許文献１に示されるように、葬儀会場において、故人の生前の態様を表す画像を映し出し、参列者等に故人の生前の態様を印象付ける手法とか、特許文献２に示されるように、葬儀用ナレーションのシナリオと追悼ビデオを用意し、シナリオに基づく葬儀の進行と適時でのビデオ放映によって、厳かな整然とした葬儀を実現する手法が採用されている。【０００５】
【特許文献１】  特開２００３−２８４６３６号公報
【特許文献２】  特開２００４−７８２６３号公報。
【発明の開示】
【発明が解決しようとする課題】
【０００６】  ところで、一般に、葬儀の最後には、参列者へのお礼と感謝を込めて、喪主等の遺族側から参列者に対して挨拶が行われる。この最後の挨拶は、本来、自分のために参列して戴いた人に対して故人がお礼と感謝の気持ちを述べるものであるが、故人であるがために叶わず、そのために故人の代弁として、喪主等が行っている。【０００７】  しかし、この最後の挨拶についても、葬儀社主導の葬儀においては、葬儀社の進行役が形式的且つ画一的な当たり障りの無い言葉で代弁することが多くなり、参列者に対するお礼と感謝の表明という「最後の挨拶」のもつ本来の意義が薄れがちになっていることは否めない。【０００８】  一方、葬儀の参列者は、故人を偲ぶ、という気持ちで参列したものであるから、葬儀において、死を全く意識していない平常時のスナップ写真とかビデオ映像を見せられるよりも、例え死に直面していない時点において予め記録されたものであっても、「葬儀において遺族とか世話になった人に対するお礼とか感謝の気持ちを伝える」という意思をもって記録されたものを見聞きした方が、より大きな感動を受け、故人の葬儀が意義あるものとなる。【０００９】  しかるに、このような観点からの提案は何等なされておらず、延いては葬儀の形骸化の一因ともなっていた。【０００１０】  そこで、本願発明は、葬儀の参列者の視点に立ち、葬儀を意義あらしめ得るようにした生前メッセージ管理・開示システムを提案することを目的としてなされたものである。
【課題を解決するための手段】
【００１１】  本願発明では、上記課題を解決するために以下のような構成を採用している。【００１２】  本願の第１の発明では、委託者３は将来における自己の死去を念頭に、その葬儀に際して遺族及び参列者に伝えたいメッセージを自己の肉声で、又は自己の肉声と画像で記録し、これを生前メッセージとして情報伝達手段を介して受託者１に寄託し、上記受託者１は寄託された上記生前メッセージを記録情報としてデータベース２に保管し、上記受託者１は上記委託者３の死去情報を得たとき、該委託者３の生前メッセージを上記データベース２から読み出しインターネットを介して特定の葬儀社５に送信し、上記特定の葬儀社５は上記受託者１から送信された生前メッセージを上記委託者３の葬儀において遺族及び参列者に開示することを特徴としている。【００１３】  本願の第２の発明では、上記第１の発明に係る生前メッセージ管理・開示システムにおいて、上記受託者１は、上記委託者３から既に寄託された生前メッセージの更改又は削除の要請を受けたときには、上記データベース２に保管された生前メッセージを更改又は削除することを特徴としている。【００１４】  本願の第３の発明では、上記第１又は第２の発明に係る生前メッセージ管理・開示システムにおいて、上記委託者３は、生前に、死後において自己の意思を代弁する代弁者４を定めてこれを上記委託者３に通知し、上記代弁者４は上記委託者３の死去時に上記死去情報、及び上記生前メッセージの開示の可否情報を上記受託者１に送信することを特徴としている。
【発明の効果】
【００１５】  （イ）本願の第１の発明に係る生前メッセージ管理・開示システムによれば、委託者３が委託した自己の肉声、又は自己の肉声と画像による生前メッセージは、受託者１においてデータベース２に保管される一方、上記受託者１が上記委託者３の死去情報を得たときには、上記データベース２から読み出され、インターネットを介して特定の葬儀社５に送信され、この特定の葬儀社５により上記委託者３の葬儀において遺族及び参列者に開示される。【００１６】  従って、遺族及び参列者は、故人たる委託者３から、該委託者３の肉声による、又は肉声と画像による、死去を念頭においた生前メッセージを、恰もここに故人が存在するかの如き感覚で見聞きすることになり、委託者３のお礼及び感謝の思いが遺族及び参列者に感動をもって伝えられ、且つその心中に深く刻み込まれ、その結果、上記委託者３の葬儀がより意義深いものとなる。【００１７】  （ロ）本願の第２の発明に係る生前メッセージ管理・開示システムによれば、上記（イ）に記載の効果に加えて次のような特有の効果が得られる。即ち、この発明では、上記受託者１は、上記委託者３から既に寄託された生前メッセージの更改又は削除の要請を受けたときには、上記データベース２に保管された生前メッセージを更改又は削除するようにしているので、葬儀に際して遺族及び参列者に開示される生前メッセージは、死去の直近における委託者３の意思、及び声あるいは姿をより正確に反映された最新のメッセージとなり、この生前メッセージの開示による上記（ａ）に記載の効果がさらに促進される。【００１８】  （ハ）本願の第３の発明に係る生前メッセージ管理・開示システムによれば、上記（イ）又は（ロ）に記載の効果に加えて次のような特有の効果が得られる。即ち、この発明では、上記委託者３は、生前に、死後において自己の意思を代弁する代弁者４を定めてこれを上記委託者３に通知し、上記代弁者４は上記委託者３の死去時に上記死去情報、及び上記生前メッセージの開示の可否情報を上記受託者１に送信するようにしているので、何らかの理由によって代弁者４が生前メッセージの開示を望まないときには、生前メッセージの開示は行われず、特に上記生前メッセージに個人情報が含まれているような場合には、個人情報の保護が図られることになる。
【発明を実施するための最良の形態】
【００１９】  以下、本願発明を好適な実施形態に基づいて具体的に説明する。【００２０】  図１には、本願発明の実施形態に係る生前メッセージ管理・開示システムのシステムブロック図を示している。この生前メッセージ管理・開示システムはインターネットを活用したシステムであって、受託者１はデータベース２を備えサーバとして機能するものであって、ここには多数の委託者３からそれぞれの生前メッセージに関する情報ａが入力される。【００２１】  上記委託者３は、生前に、将来における自己の死去を念頭におき、その葬儀に際して遺族及び参列者に伝えたいメッセージを自己の肉声で、又は自己の肉声と画像の双方で記録し、これを生前メッセージとして上記受託者１に寄託する者である。この生前メッセージの記録は、例えば、図３に示すように、データとしてＣＤディスク１１とかフロッピーディスク１２等の記録媒体に記録することで行われる。そして、ここで記録されたデータとしての生前メッセージは、インターネットを介して上記受託者１に情報ａとして送信されるほかに、例えば、上記ＣＤディスク１１とかフロッピーディスク１２等の記録媒体を直接郵送等によって上記受託者１に届けられる場合もある。【００２２】  なお、後者の場合には、上記受託者１において上記記録媒体から上記生前メッセージに関するデータを読み出してこれを上記データベース２に記録して保管することになる。従って、インターネットのほかに、郵送手段とか直接的な手渡し手段も、特許請求の範囲における「情報伝達手段」に該当することになる。【００２３】  なお、ここで、上記生前メッセージの内容としては、以下の通りである。即ち、上記生前メッセージは、将来における自己の葬儀に際して遺族及び参列者に伝えたいメッセージを自己の肉声で、又は自己の肉声と画像の双方で記録するものである。このため、生前メッセージとしては、例えば、葬儀の最後において行われる参列者２１へのお礼と感謝の気持ちを述べる挨拶メッセージがこれに該当するが、その他に、例えば、遺族に対するお礼と感謝の気持ちを含めた要望メッセージとか、遺族を参列者２１に紹介して今後の厚誼を願う嘆願メッセージ等もこれに含まれる。【００２４】  また、この生前メッセージは、固定的なものではなく、一旦、受託者１に委託していたとしても、委託者３が死去に至るまでの間においては、委託者３の意思によって何度でも必要に応じて（例えば、先の生前メッセージに不備があることが後に判明し、これを修正する場合とか、先の生前メッセージを削除して新たな内容に修正したいような場合等）追加・修正を行うことができるものである。なお、ここでの追加・修正を含む新たな生前メッセージは、上記データベース２において先の生前メッセージと書き換えられて保管・管理される。【００２５】  一方、上記委託者３は、上記受託者１に生前メッセージを寄託する際に、死後において自己の意思を代弁する代弁者４を定め、これを上記委託者３に通知しておく。なお、この代弁者４は、上記委託者３が死去した時には、情報ｂとして、その死去情報を上記受託者１に告知するとともに、上記生前メッセージを開示するか否かの開示可否に関する情報、及び葬儀を依頼する葬儀社５の特定に関する情���を、上記受託者１に送信する義務を有する。【００２６】  従って、上記代弁者４と上記受託者１の間には強い信頼関係が要求されるので、該代弁者４としては、例えば、受託者１の子供等の親族を選択するのが好適である。【００２７】  また、上記受託者１は、多数の葬儀社５とインターネットを介して連携しており、上記代弁者４から得た情報ｂに基づいて、該代弁者４が特定した葬儀社５に対して委託者３の生前メッセージに関する情報ｃを送信する。【００２８】  上記特定の葬儀社５は、上記情報ｃを受けたとき、上記委託者３の葬儀においてその生前メッセージを開示する。即ち、図４に示すように、葬儀会場において、参列者２１の前に設置されたモニター１５に委託者３の画像２０を映し出すとともに、スピーカ１６から委託者３の肉声によるメッセージを流すことで、上記委託者３の生前メッセージを開示する。【００２９】  ここで、上記説明を一部重複する部分があるが、図２を参照して、この実施形態に係る生前メッセージ管理・開示システムにおける一連の流れを具体的に説明する。【００３０】  先ず、受託者１は委託者３から生前メッセージの委託を受ける（ステップＳ１）。この生前メッセージを受けた受託者１は、該生前メッセージをデータベース化し（ステップＳ２）、これをデータベース２に保管して管理する（ステップＳ３）。【００３１】  データベース２に保管された生前メッセージは、代弁者４からの通知を受領するまで（即ち、委託者３が死去するまで）継続的に保管及び管理される。しかし、その間に、委託者３が既に委託した生前メッセージの内容の修正・削除等の更改を望む場合もあるため、委託者３から更改要請を受けた場合（ステップＳ４）には、この更改要請の内容に従って生前メッセージを更改し（ステップＳ５）、更改された生前メッセージを先の生前メッセージに代えて、上記データベース２において保管管理する（ステップＳ３）。従って、上記データベース２には、死去の直近における委託者３の意思、及び声あるいは姿がより正確に反映された最新のメッセージが保管されることになる。【００３２】  上記受託者１は、上記委託者３の死去に伴って、該委託者３の代弁者４から死去通知等の情報を受けた場合（ステップＳ６）には、該代弁者４が生前メッセージの開示を望んでいるか否かを確認する。ここで、代弁者４が生前メッセージの開示を望まないとの意思表示をした場合には、個人情報の保護等の観点から、速やかにデータベース２に保管している生前メッセージを削除し（ステップＳ１０）、生前メッセージの管理及び開示に関する業務を終了する（ステップＳ１１）。【００３３】  これに対して、代弁者４が生前メッセージの開示を望む旨の意思表示をした場合（ステップＳ７）には、上記委託者３から委託された生前メッセージを上記データベース２から読み出し、これを代弁者４が指定する葬儀社５に送信する（ステップＳ８）。【００３４】  受託者１から上記生前メッセージの送信を受けた葬儀社５では、葬儀において上記生前メッセージを遺族及び参列者２１に開示する（ステップＳ９）。これで生前メッセージの管理及び開示に関する業務を終了する（ステップＳ１１）。【００３５】  このように、上記委託者３の葬儀にお��て上記生前メッセージが遺族及び参列者に開示されると、葬儀会場における遺族及び参列者２１は、故人たる委託者３から、該委託者３の肉声による、又は肉声と画像による、死去を念頭においた生前メッセージを、恰もここに故人が存在するかの如き感覚で見聞きすることになる。この結果、遺族及び参列者２１には、上記委託者３のお礼と感謝の思いが感動をもって伝えられ、その心中に深く刻み込まれて長く心に残ることとなり、上記委託者３の葬儀がより意義深いものとなる。
【図面の簡単な説明】
【００３６】
【図１】本願発明の実施形態に係る生前メッセージ管理・開示システムのシステムブロック図である。
【図２】生前メッセージ管理・開示システムのフローシートである。
【図３】生前メッセージの委託管理形態の説明図である。
【図４】葬儀会場における生前メッセージの開示状態説明図である。
【符号の説明】
【００３７】    １    ・・受託者
２    ・・データベース
３    ・・委託者
４    ・・受任者
５    ・・葬儀社
１１    ・・ＣＤディスク
１２    ・・フロッピーディスク
１５    ・・モニター
１６    ・・スピーカ
２１    ・・参列者
【図１】
2009032220.tif 000003
【図２】
2009032220.tif 000004
【図３】
2009032220.tif 000005
【図４】
2009032220.tif 000006